(57)【要約】【課題】様々な原稿及びそのセット状態に対して適正なページ順通りの分割コピーを可能とする。【解決手段】２分割コピーの指定時に、検出手段により検出された原稿サイズ等の検出内容及び指定手段により指定された原稿の画像方向、縦書き原稿か横書き原稿かの指定等の指定内容を参照してコピー動作を制御しながら原稿画像の長手方向の中央部で２分割して記録紙に分割コピーを作成させることで、様々な原稿及びそのセット状態に対しても適正なページ順通りの分割コピーを行なえる。【選択図】        図１０
2005051382.tif 000002
【特許請求の範囲】
【請求項１】
原稿のサイズを検出する原稿サイズ検出手段と、
コンタクトガラス上にセットされた前記原稿の画像を読み取る画像読取手段と、
読み取られた前記原稿の画像信号を記憶する画像記憶手段と、
この画像記憶手段に記憶された画像信号を読み出す画像読出手段と、
前記画像記憶手段に対する記憶時又は前記画像記憶手段からの読出時に画像信号を回転させる画像回転手段と、
前記コンタクトガラス上にセットされた前記原稿の画像方向を指定する画像方向指定手段と、
前記コンタクトガラス上にセットされた前記原稿に対して２分割コピーを指定する分割コピー指定手段と、
前記原稿の画像が横書き画像か縦書き画像かを指定する縦／横指定手段と、
２分割コピーの指定時に、前記検出手段により検出された検出内容及び前記指定手段により指定された指定内容を参照してコピー動作を制御しながら前記原稿画像の長手方向の中央部で２分割して記録紙に分割コピーを作成する画像分割コピー処理手段と、
を備えることを特徴とする画像形成装置。
【請求項２】
前記分割コピー指定手段は、２分割コピーの態様として見開き原稿片面コピーモードの指定手段を含むことを特徴とする請求項１記載の画像形成装置。
【請求項３】
前記分割コピー指定手段は、２分割コピーの態様として左右ページ両面コピーモードの指定手段を含むことを特徴とする請求項１記載の画像形成装置。
【請求項４】
前記分割コピー指定手段は、２分割コピーの態様として表裏ページ両面コピーモードの指定手段を含むことを特徴とする請求項１記載の画像形成装置。
【請求項５】
前記画像分割コピー処理手段は、前記原稿の画像方向に応じて前記原稿画像の長手方向の中央部で２分割するようその分割方向が前記原稿に対する読取走査方向に対して水平方向、垂直方向に分割自在であることを特徴とする請求項１ないし４の何れか一記載の画像形成装置。
【請求項６】
変倍率を指定する変倍率指定手段と、
検出された原稿サイズの半分の分割原稿サイズと指定された変倍率とに基づき対応するサイズの記録紙を自動選択する自動用紙選択手段と、
を備えることを特徴とする請求項１ないし５の何れか一記載の画像形成装置。
【請求項７】
前記画像方向指定手段は、前記コンタクトガラス上にセットされた前記原稿の画像方向について上下左右の９０度毎に指定自在であることを特徴とする請求項２，３又は４記載の画像形成装置。
【請求項８】
前記画像分割コピー処理手段は、前記コンタクトガラス上にセットされた前記原稿の画像の方向に応じて画像分割する順序が異なることを特徴とする請求項７記載の画像形成装置。
【請求項９】
前記画像分割コピー処理手段は、前記原稿の画像が横書き画像か縦書き画像かに応じて画像分割する順序が異なることを特徴とする請求項７又は８の何れか一記載の画像形成装置。
【請求項１０】
前記画像読取手段は、前記コンタクトガラス上にセットされた前記原稿の画像の方向に応じて原稿画像のスキャニング動作が異なることを特徴とする請求項７，８又は９記載の画像形成装置。
【請求項１１】
前記画像読取手段は、２分割する画像の領域に対応させて原稿スキャニング動作を２回行ない、前記コンタクトガラス上の前記原稿が縦置きの場合には１回目と２回目との原稿スキャニング動作時の走査光学系の移動範囲を異ならせ、前記原稿が横置きの場合には１回目と２回目との原稿スキャニング動作時の走査光学系の移動範囲を同じにしたことを特徴とする請求項１０記載の画像形成装置。
【請求項１２】
前記画像読取手段は、原稿画像のスキャニング動作を原稿全域に渡る１回としたことを特徴とする請求項７，８又は９記載の画像形成装置。
【発明の詳細な説明】
【０００１】
【発明の属する技術分野】
本発明は、画像分割機能を有するデジタル式の画像形成装置に関する。
【０００２】
【従来の技術】
近年、デジタル複写機等の画像形成装置では、その機能の高級・多様化が進んでいる。このような機能の１つに、見開き原稿又はブック原稿などの１枚の原稿の画像を２分割して２枚の記録紙に片面コピー或いは１枚の記録紙に両面コピーを作成する機能がある。
【０００３】
ここに、見開き原稿を分割する方法として、見開きの状態でコンタクトガラス上に置かれた原稿を分割する分割装置として知られており（例えば、特許文献１参照）、この装置では、画像読取装置を分割移動させるなどして、原稿画像を分割していた。当然、この方法では分割可能な原稿の方向は固定化されており、分割したい方向に原稿をセットすることにより、分割が可能である。
【０００４】
近年、画像形成装置がデジタル化することにより、読取画像をデジタル方式により分割する方法がある（例えば、特許文献２参照）。しかしながら、見開き原稿の分割に関しては、読取画像に対して分割出力するのではなく、原稿画像を読み取る際に、分割する画像領域を順次読取ることにより実現している。よって、当然の如く、見開き原稿を分割可能なのは、副走査方向に対して分割する方法のみである。本来、Ａ３機では一般的にＡ３原稿は縦に読み取り可能であるため、原稿の読取最大主走査サイズはＡ３短手サイズである２９７ｍｍがいいところであり、主走査方向への分割はあまり意味が無かった。しかしながら、Ａ２機ではＡ２原稿は縦に読み取り可能であるため、Ａ３原稿については縦でも横でも読取りが可能となり、主走査方向への分割も意味の有るものとなる。
【０００５】
原稿には様々な原稿が有り、この様々なサイズの原稿に対して分割コピーする際には、原稿のセット方向に制限の有るものばかりであったため、様々な原稿に対して分割可能では無かった。即ち、従来は、見開き原稿又はブック原稿といえば、コンタクトガラス上に置かれる状態が縦置きであるとの暗黙の了解があった。
【０００６】
これを改善したのが特許文献３であり、主走査方向への分割、原稿のセット方法により分割が可能とされている。
【０００７】
【特許文献１】
特開昭６４−７０６０号公報
【特許文献２】
特開平６−３５０７８７号公報
【特許文献３】
特開平１１−０６５３６４号公報
【０００８】
【発明が解決しようとする課題】
特許文献２等にみられるように、現状のデジタル複写機では、見開き原稿分割はコンタクトガラス上の原稿に対して副走査方向のみしか見開き原稿画像を分割することができなかった。これは、Ａ３機で見開き原稿分割する場合は大半がＢ５又はＡ４サイズのブック物のため、見開きにした場合の原稿サイズがＢ４又はＡ３サイズとなり、副走査方向のみの分割で充分であるために、分割方向を副走査方向にのみ可能と決めつけて実施しているものと思われる。
【０００９】
しかしながら、近年、Ａ２機も普及しつつあり、Ａ２機となると、先ほどのブック物原稿を横置きでセットすることが可能となり、従来機と同様の副走査方向のみ分割可能とすると、ユーザに原稿セット方向に関するメッセージなどが必要となる。また、原稿の長手方向を検知し、長手方向での分割を可能としても、様々なサイズの原稿に対して分割可能ではない。
【００１０】
また、日本のブック物には一般的に縦書きの物と横書きの物とがあり、縦書きは右から左への読み進むため、右ページの方が左ページよりも前ページとなるのに対して、横書きは左ページから右ページへと読み進み、左ページの方が右ページよりも前ページとなるため、縦書きか横書きかによって、分割する順番が異なってくる。従って、特許文献３を踏まえても、これに対応し得る画像分割機能を備える装置はなく、見開き原稿に対して思うように分割することができない現状にある。
【００１１】
本発明の目的は、様々な原稿及びそのセット状態に対しても適正なページ順通りの分割コピーを可能とすることである。
【００１２】
【課題を解決するための手段】
請求項１記載の発明は、原稿のサイズを検出する原稿サイズ検出手段と、コンタクトガラス上にセットされた前記原稿の画像を読み取る画像読取手段と、読み取られた前記原稿の画像信号を記憶する画像記憶手段と、この画像記憶手段に記憶された画像信号を読み出す画像読出手段と、前記画像記憶手段に対する記憶時又は前記画像記憶手段からの読出時に画像信号を回転させる画像回転手段と、前記コンタクトガラス上にセットされた前記原稿の画像方向を指定する画像方向指定手段と、前記コンタクトガラス上にセットされた前記原稿に対して２分割コピーを指定する分割コピー指定手段と、前記原稿の画像が横書き画像か縦書き画像かを指定する縦／横指定手段と、２分割コピーの指定時に、前記検出手段により検出された検出内容及び前記指定手段により指定された指定内容を参照してコピー動作を制御しながら前記原稿画像の長手方向の中央部で２分割して記録紙に分割コピーを作成する画像分割コピー処理手段と、を備える。
【００１３】
従って、原稿のサイズやその画像方向、横書き画像か縦書き画像かの指定内容等を参照してコピー動作を制御しながら分割コピーを作成するので、様々な原稿及びそのセット状態に対して適正なページ順通りの分割コピーを行なえる。
【００１４】
請求項２記載の発明は、請求項１記載の画像形成装置において、前記分割コピー指定手段は、２分割コピーの態様として見開き原稿片面コピーモードの指定手段を含む。
【００１５】
従って、見開き原稿片面コピーモードにおいて、様々な原稿及びそのセット状態に対して適正なページ順通りの分割コピーが可能となる。
【００１６】
請求項３記載の発明は、請求項１記載の画像形成装置において、前記分割コピー指定手段は、２分割コピーの態様として左右ページ両面コピーモードの指定手段を含む。
【００１７】
従って、左右ページ両面コピーモードにおいて、様々な原稿及びそのセット状態に対して適正なページ順通りの分割コピーが可能となる。
【００１８】
請求項４記載の発明は、請求項１記載の画像形成装置において、前記分割コピー指定手段は、２分割コピーの態様として表裏ページ両面コピーモードの指定手段を含む。
【００１９】
従って、表裏ページ両面コピーモードにおいて、様々な原稿及びそのセット状態に対して適正なページ順通りの分割コピーが可能となる。
【００２０】
請求項５記載の発明は、請求項１ないし４の何れか一記載の画像形成装置において、前記画像分割コピー処理手段は、前記原稿の画像方向に応じて前記原稿画像の長手方向の中央部で２分割するようその分割方向が前記原稿に対する読取走査方向に対して水平方向、垂直方向に分割自在である。
【００２１】
従って、原稿に対する読取走査方向に対して水平方向、垂直方向に分割自在であるので、原稿をどの向きにコンタクトガラス上にセットしても適正な分割コピーが可能となる。
【００２２】
請求項６記載の発明は、請求項１ないし５の何れか一記載の画像形成装置において、変倍率を指定する変倍率指定手段と、検出された原稿サイズの半分の分割原稿サイズと指定された変倍率とに基づき対応するサイズの記録紙を自動選択する自動用紙選択手段と、を備える。
【００２３】
従って、コンタクトガラス上の原稿画像を分割する際に分割された原稿画像のサイズと設定された変倍率とにより、最適なサイズの記録紙を自動選択するので、分割コピーに際して操作ミスによるミスコピーを低減することができる。
【００２４】
請求項７記載の発明は、請求項２，３又は４記載の画像形成装置において、前記画像方向指定手段は、前記コンタクトガラス上にセットされた前記原稿の画像方向について上下左右の９０度毎に指定自在である。
【００２５】
従って、セットされた原稿の画像方向について上下左右の９０度毎に指定自在であるので、見開き原稿片面コピーモード等に際して、原稿をどのようにコンタクトガラス上にセットしても適正な分割コピーが可能となる。
【００２６】
請求項８記載の発明は、請求項７記載の画像形成装置において、前記画像分割コピー処理手段は、前記コンタクトガラス上にセットされた前記原稿の画像の方向に応じて画像分割する順序が異なる。
【００２７】
従って、セットされた前記原稿の画像の方向に応じて画像分割する順序が異なるので、原稿をどの向きにコンタクトガラス上にセットしても適正なページ順の分割コピーが可能となる。
【００２８】
請求項９記載の発明は、請求項７又は８記載の画像形成装置において、前記画像分割コピー処理手段は、前記原稿の画像が横書き画像か縦書き画像かに応じて画像分割する順序が異なる。
【００２９】
従って、原稿の画像が横書き画像か縦書き画像かに応じて画像分割する順序が異なるので、横書き画像、縦書き画像の何れについても適正なページ順の分割コピーが可能となる。
【００３０】
請求項１０記載の発明は、請求項７，８又は９記載の画像形成装置において、前記画像読取手段は、前記コンタクトガラス上にセットされた前記原稿の画像の方向に応じて原稿画像のスキャニング動作が異なる。
【００３１】
従って、セットされた原稿の画像の方向に応じて原稿画像のスキャニング動作が異なるので、原稿をどの向きにセットしてもページ順通りに適正に分割コピーすることができる。
【００３２】
請求項１１記載の発明は、請求項１０記載の画像形成装置において、前記画像読取手段は、２分割する画像の領域に対応させて原稿スキャニング動作を２回行ない、前記コンタクトガラス上の前記原稿が縦置きの場合には１回目と２回目との原稿スキャニング動作時の走査光学系の移動範囲を異ならせ、前記原稿が横置きの場合には１回目と２回目との原稿スキャニング動作時の走査光学系の移動範囲を同じにした。
【００３３】
従って、分割する画像の領域毎に画像の読み取りを行うことができ、また、原稿が縦置きの場合には、１回目と２回目との何れかの原稿スキャニング動作において走査光学系の移動範囲が短くなる。
【００３４】
請求項１２記載の発明は、請求項７，８又は９記載の画像形成装置において、前記画像読取手段は、原稿画像のスキャニング動作を原稿全域に渡る１回とした。
【００３５】
従って、原稿の種類やセット状態等に関係なく、１回の原稿スキャニング動作により、原稿の画像読取りを終了させることができる。
【００３６】
【発明の実施の形態】
本発明の一実施の形態を図面に基づいて説明する。本発明を採用したデジタル複写機の概略構造とその作用とを図１により説明する。このデジタル複写機は、例えばＡ２機のデジタル複写機への適用例を示し、読取ユニット１と作像ユニット２とを主体として構成されている。
【００３７】
読取ユニット１はコンタクトガラス３上にセットされ又は搬送された原稿の画像を走査光学系４により光学的に読み取るものである。この走査光学系４は、露光ランプ５、第１ミラー６、第２ミラー７、第３ミラー８、結像レンズ９及びＣＣＤイメージセンサ１０等により構成されている。露光ランプ５と第１ミラー６とは第１キャリッジ（図示せず）上に搭載され、第２，第３ミラー７，８は第２キャリッジ（図示せず）上に搭載され、原稿画像読取時には光路長が変わらないように第１キャリッジと第２キャリッジとが２：１の速度比で同一方向に機械的に移動する。これらの第１，第２キャリッジの駆動はスキャナ駆動モータ（図示せず）により行なわれる。ここに、コンタクトガラス３上の原稿画像は走査光学系４による読取走査を受けることにより、ＣＣＤイメージセンサ１０上に縮小結像され、光電変換処理を経て電気信号となるように読み取られる。
【００３８】
このような読取ユニット１のコンタクトガラス３上には自動原稿送り装置（ＡＤＦ）１１が搭載されている。このＡＤＦ１１は、原稿台１２と給紙ローラ１３とコンタクトガラス３上に位置する給紙搬送ベルト１４と排紙ローラ１５と原稿排紙トレイ１６とにより構成されている。原稿台１２の入り口付近には原稿セット検知センサ１７が設けられている。これにより、原稿台１２上に画像面を上向きにして積載された原稿束は、後述する操作部上のプリントキーが押下されると、最下位の原稿から給紙ローラ１３、給紙搬送ベルト１４によりコンタクトガラス３上の所定位置に給紙搬送されて停止する。この際、搬送途中で後述する原稿サイズ検知センサ６４により原稿のサイズが検知される。コンタクトガラス３上にセットされ又は搬送された原稿は、読取ユニット１による読取に供された後、読取が終了すると、給紙搬送ベルト１４及び排紙ローラ１５により原稿排紙トレイ１６上に排紙される。この際、原稿セット検知センサ１７が後続の原稿を検知していれば、先行した原稿の場合と同様に、原稿台１２上の原稿をコンタクトガラス３上に給紙搬送させる。ここに、ＡＤＦ１１における給紙ローラ１３、給紙搬送ベルト１４及び排紙ローラ１５は、メインモータによって駆動される。なお、圧板モードでコピーする場合には、後述する圧板用の原稿サイズ検知センサ７９によりコンタクトガラス３上にセットされた原稿のサイズが検知される。
【００３９】
次に、作像ユニット２について説明する。この作像ユニット２はドラム状の感光体２１を中心とし、この感光体２１の周囲には、電子写真プロセスの工程順に、帯電チャージャ（図示せず）、書込ユニット２２、現像装置２３、転写チャージャ（図示せず）等が配設されている。前記書込ユニット２２は、レーザ出力ユニット（レーザダイオード、ポリゴンミラー等を内蔵）２４、結像レンズ２５、ミラー２６等によるレーザ書込光学系として構成されている。
【００４０】
また、作像ユニット２内の下部側には、各々記録紙２７を収納した第１〜第３トレイ２８〜３０が引出自在に装着されている。各トレイ２８〜３０の給紙側には第１〜第３給紙装置３１〜３３が設けられており、共通な縦搬送ユニット３４を介して感光体２１の転写位置側に記録紙２７を給紙搬送することが可能とされている。さらに、感光体２１の転写位置よりも搬送方向下流側には、搬送ベルト３５、定着装置３６、排紙ローラ３７を含む排紙ユニット３８、排紙トレイ３９が順に設けられている。また、第１トレイ２８の上方には両面トレイ４０を含む両面給紙ユニット４１が配設されており、排紙ユニット３８中には記録紙２７の搬送経路を排紙トレイ３９側とこの両面トレイ４０側との何れかへ切り替える切替爪４２が設けられている。両面給紙ユニット４１の再給紙側は縦搬送ユニット３４に連通している。
【００４１】
これにより、第１〜第３トレイ２８〜３０に収納された記録紙２７は、第１〜３給紙装置３１〜３３によって選択的に給紙され、縦搬送ユニット３４により感光体２１の転写位置まで搬送される。一方、副走査方向に回転駆動される感光体２１側では書込ユニット２２による主走査方向の光書込を受けて静電潜像が形成され、現像装置２３による現像を受けてトナー像が形成される。縦搬送ユニット３４により搬送された記録紙２７はこのトナー像先端と同期を取りながら、感光体２１と同速で駆動される搬送ベルト３５によって搬送され、トナー像の転写を受ける。転写後の記録紙２７は定着装置３６による定着を受けた後、排紙ローラ３７によって排紙トレイ３９上に排紙される。
【００４２】
ここに、両面コピーモード時のおもて面コピー終了後であれば、切替爪４２が切り替えられて記録紙２７が両面トレイ４０側に一旦排紙され、うら面側のコピーのための再給紙に供される。
【００４３】
次に、図２により操作部５１の構成について説明する。この操作部５１はプリントキー５２、テンキー５３、クリア・ストップキー５４、初期設定キー５５、モードクリアキー５６等のキー類を備えている他、液晶タッチパネル５７を備えている。この液晶タッチパネル５７には、画面毎に適宜出現する機能キー５８を含む入力操作部５９と、部数や装置状態等をメッセージ表示する表示部６０とを併せ持つ。
【００４４】
図３は、液晶タッチパネル５７の基本画面の表示例を示す。図示例の如く、液晶タッチパネル５７の基本画面上には、“両面”キー，“分割”キー（分割コピー指定手段），“変倍”キー（変倍率指定手段）等の機能キー５８が出現する。機能キー５８に関しては、キー機能表示部分を押下することにより、そのキー部分が黒く反転する。図示例は、第１トレイ２８からの記録紙給紙を示す“Ａ４横”選択キーが押下されている様子を示す。また、機能の詳細を指定しなければならない場合は、該当するキー機能表示部分を押下することにより、詳細機能の設定画面が表示される。
【００４５】
例えば、図４は、図３の表示状態から“分割”キーなる機能キー５８を押下した場合に展開される表示内容を示す。まず、２分割コピーのコピー態様としてのモード指定を行なうためのモード指定キー５８ａ〜５８ｃが指定手段として出現する。即ち、見開き原稿（ブック原稿を含む）を片面にコピーする見開き原稿片面コピーモード用の見開き片面モードキー５８ａ、見開き原稿を両面にコピーする左右ページ両面コピーモード用の左右ページ両面キー５８ｂ、見開き原稿の第１面を表画像とし、その第２面及び２枚目以降の見開き原稿に対して両面コピーし、最終原稿の第２面を裏画像として両面コピーする表裏ページ両面コピーモード（ブック原稿が同じ態様で再現されるモード）用の表裏ページ両面キー５８ｃとを有する。
【００４６】
見開き原稿をコンタクトガラス３上にセットする際に文字（画像）の読み取り可能方向を設定する画像方向指定手段としての指定キー５８ｄ〜５８ｇが出現する。即ち、画像読取り方向が上（→下）の場合に設定する上キー５８ｄ、下（→上）の場合に設定する下キー５８ｅ、左（→右）の場合に設定する左キー５８ｆ、右（→左）の場合に設定する右キー５８ｇを有し、コンタクトガラス３上にセットされた原稿の画像方向について上下左右の９０度毎に指定自在とされている。
【００４７】
さらに、原稿画像が縦書き原稿の場合に指定する縦書き原稿キー５８ｈと、原稿画像が横書き原稿の場合に指定する横書き原稿キー５８ｉとが縦／横指定手段として出現する。
【００４８】
何れにしても、液晶タッチパネル５７は、ドット表示器を使用しているので、その時の最適な表示をグラフィカルに行うことができる。
【００４９】
次に、電装制御系のハードウェア構成を図５により説明する。デジタル複写機全体を制御するメインコントローラ（ＭＣＵ）６１には、操作部５１やＡＤＦ１１の他に、ＩＰＵ（イメージ・プロセシング・ユニット＝画像処理ユニット）６２が接続されている。これらの分散制御装置５１，１１，６２とメインコントローラ６１とは、必要に応じて機械の状態、動作指令等のやり取りを行う。さらに、記録紙２７の搬送に必要なメインモータや各種クラッチ等がＩ／Ｏ６３を介してメインコントローラ６１に接続されている。また、ＡＤＦ１１の原稿入口部には自動送りする原稿のサイズを検知する反射型の原稿サイズ検知センサ６４が設けられている。
【００５０】
図６は、ＩＰＵ６２の内部構成を示す。このＩＰＵ６２には、上述した読取ユニット１や書込ユニット２２の制御を行なうＣＰＵ７１が設けられている。このＣＰＵ７１にはバスラインを介して、制御用のプログラムなどを格納したＲＯＭ７２や各種データを記憶するＲＡＭ７３、画像メモリコントローラ７４、ＣＣＤイメージセンサ１０、Ａ／Ｄコンバータ７５、２色分離・シェーディング補正回路７６、フィルタ補正、変倍色データ膨張、γ補正等を行なう第１画像処理部７７、後述する画像処理を行なうとともに処理画像信号の送り先を画像メモリコントローラ７４と書込ユニット２２とへの切り替えを行なう第２画像処理部７８が接続されている。また、ＣＰＵ７１には、コンタクトガラス３上に原稿をセットして画像読取を行なう場合にその原稿サイズを検知する反射型の原稿サイズ検知センサ７９が接続されている。原稿サイズ検知センサ７９が原稿サイズ検知手段として機能する。また、本実施の形態では、原稿サイズと変倍率とから対応するサイズの記録紙２７を自動選択する自動用紙選択手段（ＡＰＳ）８０の機能を有しており、ＣＰＵ７１に接続されている。
【００５１】
図７は、第２画像処理部７８の内部構成を示す。この第２画像処理部７８には、第１画像処理部７７で画像処理された画像データの読込時に画像処理を行なう各種の回路、具体的には、領域をマスクするスキャナマスク処理回路８１、色変換処理回路８２、色消去処理回路８３、ビット反転処理回路８４、ページや日付や特殊文字等を合成する印字合成処理回路８５等が設けられている。印字合成処理回路８５に接続されている印字コア８６では、ページ印字のページを作成したり、スタンプ文字等の文字コードを取り出して印字を作成し、印字イメージデータを発生させる。また、画像データ選択回路８７は、処理回路８１〜８５で画像処理された画像データをスルーで画質コア８８に出力するか、画像メモリコントローラ７４からの画像データを画質コア８８に出力するか、画像処理された画像データに対して画像メモリコントローラ７４からの画像データを合成処理回路（ＭＳＵ合成）８９で合成したものを画質コア８８に出力するかを選択する。
【００５２】
図８，図９により画像メモリコントローラ７４の詳細を説明する。画像メモリコントローラ７４は、１次圧縮部９１と１次伸張部９２と、１次画像データの保存メモリである画像メモリＤＲＡＭ９３（バンクＡ，バンクＢ）、２次圧縮伸張部９４、大容量メモリであるＨＤ９５を有している。また、メモリ側への記憶時又はメモリ側からの読出時に画像信号を９０度、１８０度或いは２７０度回転させる画像回転手段９６や、伸張された登録画像の画像倍率を変更する変倍処理手段９７のブロックを有している。各ブロックへの制御データの設定はＣＰＵ７１より行われる。
【００５３】
ここに、１次記憶装置９３は、メモリの指定した領域へのデータ書込み、又は画像出力時のメモリの指定した領域からのデータ読出しが画像データの入力／出力時に要求されるデータ転送速度に略同期して行えるように、例えばＤＲＡＭ等の高速アクセスが可能なメモリを使用する。また、１次記憶装置９３は、処理を行う画像データの大きさにより複数のエリアに分割して（この例ではバンクＡ，Ｂ）、画像データの入出力を同時に実行可能な構成（メモリコントローラとのインターフェース部）を有している。
【００５４】
２次記憶装置９７は、入力された画像の合成、ソーティングを行うためにデータを保存しておく大容量のメモリである。２次記憶装置９７においても１次記憶装置９３と同様に、画像入出力時に要求されるデータ転送速度に略同期してデータの書込み／読出しが可能である。
【００５５】
画像メモリコントローラ７４による画像データの保存動作は図８に示すように、前段の画像処理部により画像加工された画像データＶ１は無条件にＭＳＵ処理回路（合成処理回路）８９に供給され、既に画像メモリ９３，９５に保存されている画像データとの合成を行なう。ＭＳＵ処理回路８９で処理された画像データは読取り時に画像回転の指定がある場合は画像データを画像回転手段９６で回転処理して保存するために、９０度、１８０度或いは２７０度と回転された画像データＶ２とする。この画像データＶ２は、１次圧縮部９１によりデータを圧縮され（Ｖ３）、圧縮後のデータを画像メモリＤＲＡＭ９３に書き込むと同時に２次圧縮伸張部９４に送られ（Ｖ４）、２次圧縮伸張部９４で更に圧縮を行なった後にＨＤ９５に送られて（Ｖ５）保存される。
【００５６】
画像出力時には１次記憶装置９３に記憶されている画像データの読出しを行う。図９に示すように、出力対象となる画像データが画像メモリＤＲＡＭ９３に格納されている場合には、１次伸張部９２で画像データの伸張を行ない、伸張後の画像データ、若しくは、伸張後の画像データと入力データとの画像合成を行なった後のデータを出力する。この際、変倍手段９７により伸張後の画像の倍率を変更可能としている。変倍した後の画像データに対して書込み時に画像回転手段９６による回転処理の指示がある場合は、画像データを９０度、１８０度或いは２７０度と画像回転し、ＭＳＵ処理回路８９は、１次記憶装置９３の画像データと、入力データＶ１との合成（画像データの位相調整機能を有する）、合成後の画像データの出力先の選択（画像出力、１次記憶装置９３へのライトバック、両方の出力先への同時出力も可能）等の処理を行う。出力対象となる画像データが画像メモリＤＲＡＭ９３に格納されていない場合には、ＨＤ９５に格納されている出力対象画像データを２次圧縮伸張部９４で伸張を行ない、伸張後の画像データを画像メモリＤＲＡＭ９３に書き込んでから、上述の画像出力動作を行なう。
【００５７】
ちなみに、原稿画像１枚に対してコピー枚数が１枚の場合には、本来、画像データを画像メモリＤＲＡＭ９３に記憶させる必要はないが、要求されるコピー枚数が複数枚の場合には毎回スキャニングすることを回避でき、記録紙ジャムが発生した場合でも、再度原稿をスキャニングする必要がない等の点を考慮して、スキャニングして得られた画像データを無条件に画像メモリＤＲＡＭ９３及びＨＤ９５に記憶させるようにしている。
【００５８】
このような構成において、本実施の形態では、前述した“分割”キーによる２分割コピーモードの指定に基づき見開き原稿（ブック原稿を含む）について原稿画像を２分割したコピーを行う機能を有するが、その分割コピーの態様、原稿画像の種類やコンタクトガラス３上へのセットの仕方等により、そのコピー動作の制御を変更させて分割コピーを実行させる画像分割コピー処理手段の機能が付加されている。
【００５９】
図１０及び図１２に示す模式図を参照しながら、各種態様における２分割コピーの処理制御例を説明する。まず、図１０中、１０１は横書き画像を有する見開き原稿を示し、そのページ順となる見開き原稿１０１の左面半分を見開きＡ面１０１ａ、右面半分を見開きＢ面１０１ｂとする。このような見開き原稿１０１をＡＤＦ１１にセットして読取る場合又はコンタクトガラス３上に直接セットして圧板コピーする場合、当該見開き原稿１０１はコンタクトガラス３上には裏返してセットされるが、この際、見開き原稿１０１をどのようにセットするかによって、見開き原稿１０１に対する分割コピー処理の方法が異なってくる。逆に異なるように画像形成しなければ、ページ順が逆になったり、見開き部分で分割できなかったりすることになる。
【００６０】
そこで、まず、各種態様における処理制御例の概略を説明する。例えば、見開き原稿１０１を裏返して原稿１０２として示すようにコンタクトガラス３上に縦置き状態でセットした場合、見開きＡ面１０１ａの画像を読取るためには副Ｓ１のように見開きＡ面１０１ａまで原稿全域をスキャニングし、かつ、検出された原稿サイズとその方向とより見開き原稿１０２の半分を判断して半分（見開きＡ面１０１ａ）の原稿サイズを検知し、設定された変倍率とから最適な記録紙サイズを判断して、コピーすれば良い。見開きＢ面１０１ｂは副Ｓ２のようにスキャンし、後は同様にして、見開きＢ面１０１ｂをコピーすれば良い。
【００６１】
また、見開き原稿１０１を上下逆様に裏返して原稿１０３として示すようにコンタクトガラス３上に縦置き状態でセットした場合（この場合、後述するように画像方向として下キー５８ｅの操作を要する）、ページ順として見開きＡ面１０１ａから分割コピーするためにはまず見開きＡ面１０１ａは副Ｓ３のようにスキャンし、続いて見開きＢ面１０１ｂは副Ｓ４のようにスキャンすればよい。また、原稿画像は逆様にセットされているため、読取画像に対して出力画像は画像回転手段９６により１８０度回転して出力することで対応できる。ちなみに、従来は見開き原稿１０１は原稿を横書き原稿と仮定し、原稿１０２のようにセットされたものと仮定してコピーしていたため、ユーザが誤って原稿１０３のようにセットした場合、ページ順が狂ったり、天地が逆の結果になっていた。
【００６２】
また、例えばＡ３サイズの見開き原稿１０１を原稿１０４として示すようにコンタクトガラス３上に横置き状態でセットした場合（この場合、後述するように画像方向として左キー５８ｆの操作を要する）、見開きＡ面１０１ａは副Ｓ５のように原稿全域をスキャンする必要があり、これにより、Ａ３横原稿であることを検知し、見開き原稿１０４であるため、主走査方向（垂直方向）の２分割とし、見開きＡ面１０１ａはＡ４縦と認識する。見開きＢ面１０１ｂも同様に副Ｓ６のように原稿全域をスキャンし、主走査方向（垂直方向）の２分割とし、見開きＢ面１０１ｂもＡ４縦と認識してコピーする。この際、出力する記録紙がＡ４縦であれば、画像回転する必要はないが、Ａ４横の場合は画像回転手段９６によって時計回りに９０度画像回転して出力する。
【００６３】
また、見開き原稿１０１を原稿１０５として示すようにコンタクトガラス３上に横置き状態でセットした場合（この場合、後述するように画像方向として右キー５８ｇの操作を要する）、原稿スキャン範囲は原稿１０４の場合と同様であるが、原稿１０４とは見開きＡ面１０１ａ，見開きＢ面１０１ｂの画像位置が逆転しているため、分割コピー用の画像形成順は逆となり、かつ、出力する際、又は読取りの際に画像回転手段９６により反時計方向に９０度画像を回転する必要がある。
【００６４】
図１１は見開き原稿１０１を２分割コピーした場合に出力される画像であり、１０６，１０７は横置き記録紙への２分割等倍片面コピー例、１０８，１０９は縦置き記録紙への２分割等倍片面コピー例、１１０，１１１は横置き記録紙への２分割拡大片面コピー例を示す。即ち、記録紙サイズは検知した見開き原稿サイズの半分サイズに対して設定された変倍率から算出される記録紙サイズを最適なサイズと検知して選択しコピーされる（ＡＰＳ８０による自動用紙選択手段の機能）。
【００６５】
このような処理制御は、見開き片面モードキー５８ａを押下した場合に限らず、左右ページ両面キー５８ｂや表裏ページ両面キー５８ｃを押下したモード指定時であっても、基本的には同様であり、各々のモードに応じて記録紙を両面コピーに供するため適宜両面トレイ４０を通過させる等の処理制御が異なるだけであり、見開き原稿１０１の画像を長手方向に２分割し、両面コピーすれば良い。この際、やはり作成するページ順はセットする原稿の方向により作成順が異なり、かつ、画像回転を必要とする場合があるのは同様である。
【００６６】
ここに、原稿が横書き画像の見開き原稿１０１ばかりであれば、上記で全て解決するが、日本特有の縦書き画像の原稿も存在し、一般的に縦書き画像の見開き原稿１２１は右ページから左ページへ読み進むため、横書き原稿とはページ順が逆になる。そこで、縦書き画像の見開き原稿１２１の場合の処理制御例の概略を図１２を参照して説明する。
【００６７】
まず、図１２中、１２１は縦書き画像を有する見開き原稿を示し、そのページ順となる見開き原稿１０１の右面半分を見開きＡ面１２１ａ、左面半分を見開きＢ面１２１ｂとする。このような見開き原稿１２１をＡＤＦ１１にセットして読取る場合又はコンタクトガラス３上に直接セットして圧板コピーする場合、当該見開き原稿１２１はコンタクトガラス３上には裏返してセットされるが、この際、見開き原稿１２１をどのようにセットするかによって、見開き原稿１２１に対する分割コピー処理の方法が異なってくる。逆に異なるように画像形成しなければ、ページ順が逆になったり、見開き部分で分割できなかったりすることになる。
【００６８】
例えば、見開き原稿１２１を裏返して原稿１２２として示すようにコンタクトガラス３上に縦置き状態でセットした場合（この場合、後述するように縦書き原稿キー５８ｈの操作を要する）、見開きＡ面１２１ａの画像を読取るためには副Ｓ１１のように見開きＡ面１２１ａ部分のみをスキャニングし、かつ、検出された見開きＡ面１２１ａ部分の原稿サイズと設定された変倍率とから最適な記録紙サイズを判断して、コピーすれば良い。見開きＢ面１２１ｂは副Ｓ１２のように原稿全域をスキャンし、後は同様にして、見開きＢ面１２１ｂをコピーすれば良い。
【００６９】
また、見開き原稿１２１を上下逆様に裏返して原稿１２３として示すようにコンタクトガラス３上に縦置き状態でセットした場合（この場合、後述するように画像方向として下キー５８ｅの操作を要する）、ページ順として見開きＡ面１２１ａから分割コピーするためにはまず見開きＡ面１０１ａは副Ｓ１３のように見開きＡ面１０１ａまで原稿全域をスキャニングし、かつ、検出された原稿サイズとその方向とより見開き原稿１２２の半分を判断して半分（見開きＡ面１２１ａ）の原稿サイズを検知し、設定された変倍率とから最適な記録紙サイズを判断して、コピーすれば良い。見開きＢ面１２１ｂは副Ｓ１４のようにスキャンし、後は同様にして、見開きＢ面１２１ｂをコピーすれば良い。また、原稿画像は逆様にセットされているため、読取画像に対して出力画像は画像回転手段９６により１８０度回転して出力することで対応できる。
【００７０】
また、例えばＡ３サイズの見開き原稿１２１を原稿１２４として示すようにコンタクトガラス３上に横置き状態でセットした場合（この場合、後述するように画像方向として左キー５８ｆの操作を要する）、見開きＡ面１２１ａは副Ｓ１５のように原稿全域をスキャンする必要があり、これにより、Ａ３横原稿であることを検知し、見開き原稿１２４であるため、主走査方向（垂直方向）の２分割とし、見開きＡ面１２１ａはＡ４縦と認識する。見開きＢ面１２１ｂも同様に副Ｓ１６のように原稿全域をスキャンし、主走査方向（垂直方向）の２分割とし、見開きＢ面１２１ｂもＡ４縦と認識してコピーする。この際、出力する記録紙がＡ４縦であれば、画像回転する必要はないが、Ａ４横の場合は画像回転手段９６によって時計回りに９０度画像回転して出力する。
【００７１】
また、見開き原稿１２１を原稿１２５として示すようにコンタクトガラス３上に横置き状態でセットした場合（この場合、後述するように画像方向として右キー５８ｇの操作を要する）、原稿スキャン範囲は原稿１２４の場合と同様であるが、原稿１２４とは見開きＡ面１２１ａ，見開きＢ面１２１ｂの画像位置が逆転しているため、分割コピー用の画像形成順は逆となり、かつ、出力する際、又は読取りの際に画像回転手段９７により反時計方向に９０度画像を回転する必要がある。
【００７２】
図１３は見開き原稿１２１を２分割コピーした場合に出力される画像であり、１２６，１２７は横置き記録紙への２分割等倍片面コピー例、１２８，１２９は縦置き記録紙への２分割等倍片面コピー例、１３０，１３１は横置き記録紙への２分割拡大片面コピー例を示す。即ち、記録紙サイズは検知した見開き原稿サイズの半分サイズに対して設定された変倍率から算出される記録紙サイズを最適なサイズと検知して選択しコピーされる（ＡＰＳ８０による自動用紙選択手段の機能）。
【００７３】
このような処理制御は、見開き片面モードキー５８ａを押下した場合に限らず、左右ページ両面キー５８ｂや表裏ページ両面キー５８ｃを押下したモード指定時であっても、基本的には同様であり、各々のモードに応じて記録紙を両面コピーに供するため適宜両面トレイ４０を通過させる等の処理制御が異なるだけであり、見開き原稿１２１の画像を長手方向に２分割し、両面コピーすれば良い。この際、やはり作成するページ順はセットする原稿の方向により作成順が異なり、かつ、画像回転を必要とする場合があるのは同様である。
【００７４】
つづいて、このような各種態様に応じてＣＰＵ７１による制御の下に、画像分割コピー処理手段により実行される処理制御例を図１４ないし図２１に示す概略フローチャートを参照して説明する。
【００７５】
ここでは、各種キー操作等による設定後、プリントキー５２を押下する（ステップＳ１）ことにより処理制御が開始されるが、２分割コピーモードを対象としているため、まず、分割キーなる機能キー５８により２分割コピーモードが設定されているか否かをチェックする（Ｓ２）。２分割コピーモードが設定されている場合（Ｓ２のＹ）、その態様として、見開き片面モードキー５８ａにより見開き原稿片面コピーモードに設定されているかをチェックする（Ｓ３）。見開き原稿片面コピーモードであれば（Ｓ３のＹ）、横書き原稿キー５８ｉにより横書き原稿モードとされているか縦書き原稿キー５８ｈにより縦書き原稿モードとされているかをチェックする（Ｓ４）。横書き原稿モードであれば（Ｓ４のＹ）、原稿画像の画像方向として上キー５８ｄによる指定がなされているか否かをチェックする（Ｓ５）。ここでは、上キー５８ｄが押下されており（Ｓ５のＹ）、図１０中に示した原稿１０２の態様とする。また、変倍キー等の操作に基づく変倍率情報、セットされている記録紙２７のサイズに関する情報等を取得する（Ｓ６）。
【００７６】
そして、処理を開始するが、まず、原稿サイズ検知センサ６４，７９等を通じてコンタクトガラス３上にセットされる原稿（見開き原稿１０１）のサイズに関する情報を取得する（Ｓ７）。
【００７７】
ここに、このケースでは原稿１０２であるので、見開きＡ面１０１ａまで原稿全域を副Ｓ１のようにスキャンし副走査方向の２分割により見開きＡ面１０１ａ部分の画像データを取得する（Ｓ８；画像読取手段）。そして、記録紙２７中に見開きＡ面１０１ａと方向の一致するもの（横置き記録紙）があれば（Ｓ９のＹ）、画像回転処理を要しないのでそのままメモリ９３又は９５に格納する（Ｓ１０）。記録紙２７中に見開きＡ面１０１ａと方向の一致するものがなければ（縦置き記録紙）（Ｓ９のＮ）、画像回転手段９６により９０度画像回転処理を行ってメモリ９３又は９５に格納する（Ｓ１１）。なお、この９０度画像回転処理はメモリ９３又は９５からの出力時に行うようにしてもよい（Ｓ１１′）。
【００７８】
そして、メモリ９３又は９５に格納された見開きＡ面１０１ａの画像データを作像ユニット２側に出力し（必要に応じて変倍処理手段９７による変倍処理を含む）、対応するサイズの記録紙２７に当該見開きＡ面１０１ａの画像を片面コピー出力する（Ｓ１２）。
【００７９】
ついで、見開きＢ面１０１ｂのみを副Ｓ２のようにスキャンし副走査方向の２分割により見開きＢ面１０１ｂ部分の画像データを取得する（Ｓ１３；画像読取手段）。そして、記録紙２７中に見開きＢ面１０１ｂと方向の一致するもの（横置き記録紙）があれば（Ｓ１４のＹ）、画像回転処理を要しないのでそのままメモリ９３又は９５に格納する（Ｓ１５）。記録紙２７中に見開きＢ面１０１ｂと方向の一致するものがなければ（縦置き記録紙）（Ｓ１５のＮ）、画像回転手段９６により９０度画像回転処理を行ってメモリ９３又は９５に格納する（Ｓ１６）。なお、この９０度画像回転処理はメモリ９３又は９５からの出力時に行うようにしてもよい（Ｓ１６′）。
【００８０】
そして、メモリ９３又は９５に格納された見開きＢ面１０１ｂの画像データを作像ユニット２側に出力し（必要に応じて変倍処理手段９７による変倍処理を含む）、対応するサイズの記録紙２７に当該見開きＢ面１０１ｂの画像を片面コピー出力する（Ｓ１７）。
【００８１】
次に、見開き原稿片面コピーモードにおいて（Ｓ３のＹ）、横書き原稿モードであり（Ｓ４のＹ）、原稿画像の画像方向として下キー５８ｄによる指定がなされている場合について図１５を参照して説明する。即ち、上キー５８ｄが押下されておらず（Ｓ５のＮ）、下キー５８ｅが押下されている場合には（Ｓ２１のＹ）、図１０中に示した原稿１０３の態様となる。そして、変倍キー等の操作に基づく変倍率情報、セットされている記録紙２７のサイズに関する情報等を取得する（Ｓ２２）。
【００８２】
そして、処理を開始するが、まず、原稿サイズ検知センサ６４，７９等を通じてコンタクトガラス３上にセットされる原稿（見開き原稿１０１）のサイズに関する情報を取得する（Ｓ２３）。
【００８３】
ここに、このケースでは原稿１０３であるので、見開きＡ面１０１ａのみを副Ｓ３のようにスキャンし副走査方向の２分割により見開きＡ面１０１ａ部分の画像データを取得する（Ｓ２４；画像読取手段）。そして、記録紙２７中に見開きＡ面１０１ａと方向の一致するもの（横置き記録紙）があれば（Ｓ２５のＹ）、逆様画像であるので、画像回転手段９６により１８０度画像回転処理を行って（Ｓ２６）、メモリ９３又は９５に格納する（Ｓ２７）。記録紙２７中に見開きＡ面１０１ａと方向の一致するものがなければ（縦置き記録紙）（Ｓ２５のＮ）、画像回転手段９６により９０度画像回転処理を行って（Ｓ２８）、メモリ９３又は９５に格納する（Ｓ２７）。なお、これらの１８０度、９０度画像回転処理はメモリ９３又は９５からの出力時に行うようにしてもよい（Ｓ２６′、Ｓ２８′）。
【００８４】
そして、メモリ９３又は９５に格納された見開きＡ面１０１ａの画像データを作像ユニット２側に出力し（必要に応じて変倍処理手段９７による変倍処理を含む）、対応するサイズの記録紙２７に当該見開きＡ面１０１ａの画像を片面コピー出力する（Ｓ２９）。
【００８５】
ついで、見開きＢ面１０１ｂまで原稿全域を副Ｓ４のようにスキャンし副走査方向の２分割により見開きＢ面１０１ｂ部分の画像データを取得する（Ｓ３０；画像読取手段）。そして、記録紙２７中に見開きＢ面１０１ｂと方向の一致するもの（横置き記録紙）があれば（Ｓ３１のＹ）、逆様画像であるので、画像回転手段９６により１８０度画像回転処理を行って（Ｓ３２）、メモリ９３又は９５に格納する（Ｓ３３）。記録紙２７中に見開きＡ面１０１ａと方向の一致するものがなければ（縦置き記録紙）（Ｓ３１のＮ）、画像回転手段９６により９０度画像回転処理を行って（Ｓ３４）、メモリ９３又は９５に格納する（Ｓ３３）。なお、これらの１８０度、９０度画像回転処理はメモリ９３又は９５からの出力時に行うようにしてもよい（Ｓ３２′、Ｓ３４′）。
【００８６】
そして、メモリ９３又は９５に格納された見開きＢ面１０１ｂの画像データを作像ユニット２側に出力し（必要に応じて変倍処理手段９７による変倍処理を含む）、対応するサイズの記録紙２７に当該見開きＢ面１０１ｂの画像を片面コピー出力する（Ｓ３５）。
【００８７】
次に、見開き原稿片面コピーモードにおいて（Ｓ３のＹ）、横書き原稿モードであり（Ｓ４のＹ）、原稿画像の画像方向として左キー５８ｅによる指定がなされている場合について図１６を参照して説明する。即ち、上キー５８ｄ、下キー５８ｅが押下されておらず（Ｓ５のＮ，Ｓ２１のＮ）、左キー５８ｅが押下されている場合には（Ｓ４１のＹ）、図１０中に示した原稿１０４の態様となる。そして、変倍キー等の操作に基づく変倍率情報、セットされている記録紙２７のサイズに関する情報等を取得する（Ｓ４２）。
【００８８】
そして、処理を開始するが、まず、原稿サイズ検知センサ６４，７９等を通じてコンタクトガラス３上にセットされる原稿（見開き原稿１０１）のサイズに関する情報を取得する（Ｓ４３）。
【００８９】
ここに、このケースでは原稿１０４であるので、原稿面全体を副Ｓ５のようにスキャンし主走査方向２分割により見開きＡ面１０１ａ部分の画像データを取得する（Ｓ４４；画像読取手段）。そして、記録紙２７中に見開きＡ面１０１ａと方向の一致するもの（縦置き記録紙）があれば（Ｓ４５のＹ）、画像回転処理を要しないので、そのままメモリ９３又は９５に格納する（Ｓ４６）。記録紙２７中に見開きＡ面１０１ａと方向の一致するものがなければ（横置き記録紙）（Ｓ４６のＮ）、画像回転手段９６により９０度画像回転処理を行って（Ｓ４７）、メモリ９３又は９５に格納する（Ｓ４６）。なお、この９０度画像回転処理はメモリ９３又は９５からの出力時に行うようにしてもよい（Ｓ４７′）。
【００９０】
そして、メモリ９３又は９５に格納された見開きＡ面１０１ａの画像データを作像ユニット２側に出力し（必要に応じて変倍処理手段９７による変倍処理を含む）、対応するサイズの記録紙２７に当該見開きＡ面１０１ａの画像を片面コピー出力する（Ｓ４８）。
【００９１】
ついで、再び原稿全域を副Ｓ６のようにスキャンし主走査方向の２分割により見開きＢ面１０１ｂ部分の画像データを取得する（Ｓ４９；画像読取手段）。そして、記録紙２７中に見開きＢ面１０１ｂと方向の一致するもの（縦置き記録紙）があれば（Ｓ５０のＹ）、画像回転処理を要しないので、そのままメモリ９３又は９５に格納する（Ｓ５１）。記録紙２７中に見開きＡ面１０１ａと方向の一致するものがなければ（横置き記録紙）（Ｓ５０のＮ）、画像回転手段９６により９０度画像回転処理を行って（Ｓ５２）、メモリ９３又は９５に格納する（Ｓ５１）。なお、この９０度画像回転処理はメモリ９３又は９５からの出力時に行うようにしてもよい（Ｓ５２′）。
【００９２】
そして、メモリ９３又は９５に格納された見開きＢ面１０１ｂの画像データを作像ユニット２側に出力し（必要に応じて変倍処理手段９７による変倍処理を含む）、対応するサイズの記録紙２７に当該見開きＢ面１０１ｂの画像を片面コピー出力する（Ｓ５３）。
【００９３】
また、見開き原稿片面コピーモードにおいて（Ｓ３のＹ）、横書き原稿モードであり（Ｓ４のＹ）、原稿画像の画像方向として右キー５８ｆによる指定がなされている場合について図１７を参照して説明する。即ち、上キー５８ｄ、下キー５８ｅ、左キー５８ｅが押下されておらず（Ｓ５のＮ，Ｓ２１のＮ，Ｓ４１のＮ）、右キー５８ｆが押下されている場合には（Ｓ６１のＹ）、図１０中に示した原稿１０５の態様となる。そして、変倍キー等の操作に基づく変倍率情報、セットされている記録紙２７のサイズに関する情報等を取得する（Ｓ６２）。
【００９４】
そして、処理を開始するが、まず、原稿サイズ検知センサ６４，７９等を通じてコンタクトガラス３上にセットされる原稿（見開き原稿１０１）のサイズに関する情報を取得する（Ｓ６３）。
【００９５】
ここに、このケースでは原稿１０５であるので、原稿面全体を副Ｓ７のようにスキャンし主走査方向２分割により見開きＡ面１０１ａ部分の画像データを取得する（Ｓ６４；画像読取手段）。そして、記録紙２７中に見開きＡ面１０１ａと方向の一致するもの（縦置き記録紙）があれば（Ｓ６５のＹ）、画像回転手段９６により９０度画像回転処理を行って（Ｓ６６）、メモリ９３又は９５に格納する（Ｓ６７）。記録紙２７中に見開きＡ面１０１ａと方向の一致するものがなければ（横置き記録紙）（Ｓ６５のＮ）、画像回転手段９６により１８０度画像回転処理を行って（Ｓ６８）、メモリ９３又は９５に格納する（Ｓ６７）。なお、これらの９０度、１８０度画像回転処理はメモリ９３又は９５からの出力時に行うようにしてもよい（Ｓ６６′、Ｓ６８′）。
【００９６】
そして、メモリ９３又は９５に格納された見開きＡ面１０１ａの画像データを作像ユニット２側に出力し（必要に応じて変倍処理手段９７による変倍処理を含む）、対応するサイズの記録紙２７に当該見開きＡ面１０１ａの画像を片面コピー出力する（Ｓ６９）。
【００９７】
ついで、再び原稿全域を副Ｓ８のようにスキャンし主走査方向の２分割により見開きＢ面１０１ｂ部分の画像データを取得する（Ｓ７０；画像読取手段）。そして、記録紙２７中に見開きＢ面１０１ｂと方向の一致するもの（縦置き記録紙）があれば（Ｓ７１のＹ）、画像回転手段９６により９０度画像回転処理を行って（Ｓ７２）、メモリ９３又は９５に格納する（Ｓ７３）。記録紙２７中に見開きＡ面１０１ａと方向の一致するものがなければ（横置き記録紙）（Ｓ７１のＮ）、画像回転手段９６により１８０度画像回転処理を行って（Ｓ７４）、メモリ９３又は９５に格納する（Ｓ７３）。なお、これらの９０度、１８０度画像回転処理はメモリ９３又は９５からの出力時に行うようにしてもよい（Ｓ７２′、Ｓ７４′）。
【００９８】
そして、メモリ９３又は９５に格納された見開きＢ面１０１ｂの画像データを作像ユニット２側に出力し（必要に応じて変倍処理手段９７による変倍処理を含む）、対応するサイズの記録紙２７に当該見開きＢ面１０１ｂの画像を片面コピー出力する（Ｓ７５）。
【００９９】
次いで、見開き原稿片面コピーモードにおいて（Ｓ３のＹ）、縦書き原稿キー５８ｈ操作による縦書き原稿モードであり（Ｓ４のＮ、Ｓ８１のＹ）、原稿画像の画像方向として上キー５８ｄによる指定がなされている場合（Ｓ８２のＹ）について図１８を参照して説明する。即ち、図１２中に示した原稿１２２の態様である。まず、変倍キー等の操作に基づく変倍率情報、セットされている記録紙２７のサイズに関する情報等を取得する（Ｓ８３）。
【０１００】
そして、処理を開始するが、まず、原稿サイズ検知センサ６４，７９等を通じてコンタクトガラス３上にセットされる原稿（見開き原稿１２１）のサイズに関する情報を取得する（Ｓ８４）。
【０１０１】
ここに、このケースでは原稿１２２であるので、見開きＡ面１２１ａのみを副Ｓ１１のようにスキャンし副走査方向の２分割により見開きＡ面１２１ａ部分の画像データを取得する（Ｓ８５；画像読取手段）。そして、記録紙２７中に見開きＡ面１２１ａと方向の一致するもの（横置き記録紙）があれば（Ｓ８６のＹ）、画像回転処理を要しないのでそのままメモリ９３又は９５に格納する（Ｓ８７）。記録紙２７中に見開きＡ面１２１ａと方向の一致するものがなければ（縦置き記録紙）（Ｓ８６のＮ）、画像回転手段９６により９０度画像回転処理を行って（Ｓ８８）メモリ９３又は９５に格納する（Ｓ８７）。なお、この９０度画像回転処理はメモリ９３又は９５からの出力時に行うようにしてもよい（Ｓ８８′）。
【０１０２】
そして、メモリ９３又は９５に格納された見開きＡ面１２１ａの画像データを作像ユニット２側に出力し（必要に応じて変倍処理手段９７による変倍処理を含む）、対応するサイズの記録紙２７に当該見開きＡ面１２１ａの画像を片面コピー出力する（Ｓ８９）。
【０１０３】
ついで、見開きＢ面１２１ｂまで原稿全域を副Ｓ２のようにスキャンし副走査方向の２分割により見開きＢ面１２１ｂ部分の画像データを取得する（Ｓ９０；画像読取手段）。そして、記録紙２７中に見開きＢ面１２１ｂと方向の一致するもの（横置き記録紙）があれば（Ｓ９１のＹ）、画像回転処理を要しないのでそのままメモリ９３又は９５に格納する（Ｓ９２）。記録紙２７中に見開きＢ面１２１ｂと方向の一致するものがなければ（縦置き記録紙）（Ｓ９１のＮ）、画像回転手段９６により９０度画像回転処理を行って（Ｓ９３）メモリ９３又は９５に格納する（Ｓ９２）。なお、この９０度画像回転処理はメモリ９３又は９５からの出力時に行うようにしてもよい（Ｓ９３′）。
【０１０４】
そして、メモリ９３又は９５に格納された見開きＢ面１２１ｂの画像データを作像ユニット２側に出力し（必要に応じて変倍処理手段９７による変倍処理を含む）、対応するサイズの記録紙２７に当該見開きＢ面１２１ｂの画像を片面コピー出力する（Ｓ９４）。
【０１０５】
次に、見開き原稿片面コピーモードにおいて（Ｓ３のＹ）、縦書き原稿モードであり（Ｓ４のＮ，Ｓ８１のＹ）、原稿画像の画像方向として下キー５８ｄによる指定がなされている場合（Ｓ１０１のＹ）について図１９を参照して説明する。即ち、上キー５８ｄが押下されておらず（Ｓ８２のＮ）、下キー５８ｅが押下されている場合には（Ｓ１０１のＹ）、図１２中に示した原稿１２３の態様となる。そして、変倍キー等の操作に基づく変倍率情報、セットされている記録紙２７のサイズに関する情報等を取得する（Ｓ１０２）。
【０１０６】
そして、処理を開始するが、まず、原稿サイズ検知センサ６４，７９等を通じてコンタクトガラス３上にセットされる原稿（見開き原稿１２１）のサイズに関する情報を取得する（Ｓ１０３）。
【０１０７】
ここに、このケースでは原稿１２３であるので、見開きＡ面１２１ａまで原稿全域を副Ｓ１３のようにスキャンし副走査方向の２分割により見開きＡ面１２１ａ部分の画像データを取得する（Ｓ１０４；画像読取手段）。そして、記録紙２７中に見開きＡ面１２１ａと方向の一致するもの（横置き記録紙）があれば（Ｓ１０５のＹ）、逆様画像であるので、画像回転手段９６により１８０度画像回転処理を行って（Ｓ１０６）、メモリ９３又は９５に格納する（Ｓ１０７）。記録紙２７中に見開きＡ面１０１ａと方向の一致するものがなければ（縦置き記録紙）（Ｓ１０５のＮ）、画像回転手段９６により９０度画像回転処理を行って（Ｓ１０８）、メモリ９３又は９５に格納する（Ｓ１０７）。なお、これらの１８０度、９０度画像回転処理はメモリ９３又は９５からの出力時に行うようにしてもよい（Ｓ１０６′、Ｓ１０８′）。
【０１０８】
そして、メモリ９３又は９５に格納された見開きＡ面１２１ａの画像データを作像ユニット２側に出力し（必要に応じて変倍処理手段９７による変倍処理を含む）、対応するサイズの記録紙２７に当該見開きＡ面１２１ａの画像を片面コピー出力する（Ｓ１０９）。
【０１０９】
ついで、見開きＢ面１２１ｂのみを副Ｓ１４のようにスキャンし副走査方向の２分割により見開きＢ面１２１ｂ部分の画像データを取得する（Ｓ１１０；画像読取手段）。そして、記録紙２７中に見開きＢ面１２１ｂと方向の一致するもの（横置き記録紙）があれば（Ｓ１１１のＹ）、逆様画像であるので、画像回転手段９６により１８０度画像回転処理を行って（Ｓ１１２）、メモリ９３又は９５に格納する（Ｓ１１３）。記録紙２７中に見開きＡ面１０１ａと方向の一致するものがなければ（縦置き記録紙）（Ｓ１１１のＮ）、画像回転手段９６により９０度画像回転処理を行って（Ｓ１１４）、メモリ９３又は９５に格納する（Ｓ１１３）。なお、これらの１８０度、９０度画像回転処理はメモリ９３又は９５からの出力時に行うようにしてもよい（Ｓ１１２′、Ｓ１１４′）。
【０１１０】
そして、メモリ９３又は９５に格納された見開きＢ面１２１ｂの画像データを作像ユニット２側に出力し（必要に応じて変倍処理手段９７による変倍処理を含む）、対応するサイズの記録紙２７に当該見開きＢ面１２１ｂの画像を片面コピー出力する（Ｓ１１５）。
【０１１１】
次に、見開き原稿片面コピーモードにおいて（Ｓ３のＹ）、縦書き原稿モードであり（Ｓ４のＮ，Ｓ８１のＹ）、原稿画像の画像方向として左キー５８ｅによる指定がなされている場合について図２０を参照して説明する。即ち、上キー５８ｄ、下キー５８ｅが押下されておらず（Ｓ８２のＮ，Ｓ１０１のＮ）、左キー５８ｅが押下されている場合には（Ｓ１２１のＹ）、図１２中に示した原稿１２４の態様となる。そして、変倍キー等の操作に基づく変倍率情報、セットされている記録紙２７のサイズに関する情報等を取得する（Ｓ１２２）。
【０１１２】
そして、処理を開始するが、まず、原稿サイズ検知センサ６４，７９等を通じてコンタクトガラス３上にセットされる原稿（見開き原稿１０１）のサイズに関する情報を取得する（Ｓ１２３）。
【０１１３】
ここに、このケースでは原稿１２４であるので、原稿面全体を副Ｓ１５のようにスキャンし主走査方向２分割により見開きＡ面１２１ａ部分の画像データを取得する（Ｓ１２４；画像読取手段）。そして、記録紙２７中に見開きＡ面１２１ａと方向の一致するもの（縦置き記録紙）があれば（Ｓ１２５のＹ）、画像回転処理を要しないので、そのままメモリ９３又は９５に格納する（Ｓ１２６）。記録紙２７中に見開きＡ面１２１ａと方向の一致するものがなければ（横置き記録紙）（Ｓ１２５のＮ）、画像回転手段９６により９０度画像回転処理を行って（Ｓ１２７）、メモリ９３又は９５に格納する（Ｓ１２６）。なお、この９０度画像回転処理はメモリ９３又は９５からの出力時に行うようにしてもよい（Ｓ１２７′）。
【０１１４】
そして、メモリ９３又は９５に格納された見開きＡ面１２１ａの画像データを作像ユニット２側に出力し（必要に応じて変倍処理手段９７による変倍処理を含む）、対応するサイズの記録紙２７に当該見開きＡ面１２１ａの画像を片面コピー出力する（Ｓ１２８）。
【０１１５】
ついで、再び原稿全域を副Ｓ１６のようにスキャンし主走査方向の２分割により見開きＢ面１２１ｂ部分の画像データを取得する（Ｓ１２９；画像読取手段）。そして、記録紙２７中に見開きＢ面１２１ｂと方向の一致するもの（縦置き記録紙）があれば（Ｓ１３０のＹ）、画像回転処理を要しないので、そのままメモリ９３又は９５に格納する（Ｓ１３１）。記録紙２７中に見開きＡ面１２１ａと方向の一致するものがなければ（横置き記録紙）（Ｓ１３０のＮ）、画像回転手段９６により９０度画像回転処理を行って（Ｓ１３２）、メモリ９３又は９５に格納する（Ｓ１３１）。なお、この９０度画像回転処理はメモリ９３又は９５からの出力時に行うようにしてもよい（Ｓ１３２′）。
【０１１６】
そして、メモリ９３又は９５に格納された見開きＢ面１２１ｂの画像データを作像ユニット２側に出力し（必要に応じて変倍処理手段９７による変倍処理を含む）、対応するサイズの記録紙２７に当該見開きＢ面１２１ｂの画像を片面コピー出力する（Ｓ１３３）。
【０１１７】
また、見開き原稿片面コピーモードにおいて（Ｓ３のＹ）、縦書き原稿モードであり（Ｓ４のＮ，Ｓ８１のＹ）、原稿画像の画像方向として右キー５８ｆによる指定がなされている場合について図２１を参照して説明する。即ち、上キー５８ｄ、下キー５８ｅ、左キー５８ｅが押下されておらず（Ｓ８２のＮ，Ｓ１０１のＮ，Ｓ１２１のＮ）、右キー５８ｆが押下されている場合には（Ｓ１４１のＹ）、図１２中に示した原稿１２５の態様となる。そして、変倍キー等の操作に基づく変倍率情報、セットされている記録紙２７のサイズに関する情報等を取得する（Ｓ１４２）。
【０１１８】
そして、処理を開始するが、まず、原稿サイズ検知センサ６４，７９等を通じてコンタクトガラス３上にセットされる原稿（見開き原稿１２１）のサイズに関する情報を取得する（Ｓ１４３）。
【０１１９】
ここに、このケースでは原稿１２５であるので、原稿面全体を副Ｓ１７のようにスキャンし主走査方向２分割により見開きＡ面１２１ａ部分の画像データを取得する（Ｓ１４４；画像読取手段）。そして、記録紙２７中に見開きＡ面１２１ａと方向の一致するもの（縦置き記録紙）があれば（Ｓ１４５のＹ）、画像回転手段９６により９０度画像回転処理を行って（Ｓ１４６）、メモリ９３又は９５に格納する（Ｓ１４７）。記録紙２７中に見開きＡ面１２１ａと方向の一致するものがなければ（横置き記録紙）（Ｓ１４５のＮ）、画像回転手段９６により１８０度画像回転処理を行って（Ｓ１４８）、メモリ９３又は９５に格納する（Ｓ１４７）。なお、これらの９０度、１８０度画像回転処理はメモリ９３又は９５からの出力時に行うようにしてもよい（Ｓ１４６′、Ｓ１４８′）。
【０１２０】
そして、メモリ９３又は９５に格納された見開きＡ面１２１ａの画像データを作像ユニット２側に出力し（必要に応じて変倍処理手段９７による変倍処理を含む）、対応するサイズの記録紙２７に当該見開きＡ面１２１ａの画像を片面コピー出力する（Ｓ１４９）。
【０１２１】
ついで、再び原稿全域を副Ｓ１８のようにスキャンし主走査方向の２分割により見開きＢ面１２１ｂ部分の画像データを取得する（Ｓ１５０；画像読取手段）。そして、記録紙２７中に見開きＢ面１２１ｂと方向の一致するもの（縦置き記録紙）があれば（Ｓ１５１のＹ）、画像回転手段９６により９０度画像回転処理を行って（Ｓ１５２）、メモリ９３又は９５に格納する（Ｓ１５３）。記録紙２７中に見開きＡ面１２１ａと方向の一致するものがなければ（横置き記録紙）（Ｓ１５１のＮ）、画像回転手段９６により１８０度画像回転処理を行って（Ｓ１５４）、メモリ９３又は９５に格納する（Ｓ１５３）。なお、これらの９０度、１８０度画像回転処理はメモリ９３又は９５からの出力時に行うようにしてもよい（Ｓ１５２′、Ｓ１５４′）。
【０１２２】
そして、メモリ９３又は９５に格納された見開きＢ面１２１ｂの画像データを作像ユニット２側に出力し（必要に応じて変倍処理手段９７による変倍処理を含む）、対応するサイズの記録紙２７に当該見開きＢ面１２１ｂの画像を片面コピー出力する（Ｓ１５５）。
【０１２３】
このようにして、何れの場合もページ順の２分割コピーを適正に行うことができる。
【０１２４】
なお、左右ページ両面キー５８ｂや表裏ページ両面キー５８ｃを押下したモード指定時については特に図示しないが、前述したように、基本的には見開き片面モードキー５８ａを押下した場合と同様であり、各々のモードに応じて記録紙２７の表面側にコピーさせるか裏面側にコピーさせるかの記録紙給紙制御が異なるだけであり、見開き原稿１２１の画像を長手方向に２分割し、両面コピーすれば良い。この際、やはり作成するページ順はセットする原稿の方向により作成順が異なり、かつ、画像回転を必要とする場合があるのは同様である。
【０１２５】
なお、本実施の形態では、原稿スキャニング動作を２回に分けて行なうことにより原稿の画像を２つに分割して読み取る場合を例に挙げて説明したが、１回の原稿スキャニング動作により原稿の画像を全て読み取るようにしてもよい。この場合には、読み取って画像メモリＤＲＡＭ９３に格納した画像データを、原稿の向き検出手段による判断結果に基づいて原稿の長手方向の中央部（副走査方向又は主走査方向）で２分割する処理を行ない、この処理を行なった画像データを書込ユニット２２へ出力することにより２分割して２枚の記録紙２７の各々にコピーした片面コピーを得、或いは、１枚の記録紙２７の表裏にコピーした両面コピーを得る。このように、原稿スキャニング動作を１回として画像メモリＤＲＡＭ９３上で２分割することにより、原稿スキャニング動作に要する時間が短縮され、コピー作業の作業能率がアップする。
【０１２６】
【発明の効果】
請求項１記載の発明によれば、２分割コピーの指定時には、原稿のサイズやその画像方向、横書き画像か縦書き画像かの指定内容等を参照してコピー動作を制御しながら分割コピーを作成するようにしたので、様々な原稿及びそのセット状態に対して適正なページ順通りの分割コピーを行うことができる。
【０１２７】
請求項２記載の発明によれば、見開き原稿片面コピーモードにおいて、様々な原稿及びそのセット状態に対して適正なページ順通りの分割コピーを行なうことができる。
【０１２８】
請求項３記載の発明よれば、左右ページ両面コピーモードにおいて、様々な原稿及びそのセット状態に対して適正なページ順通りの分割コピーを行なうことができる。
【０１２９】
請求項４記載の発明よれば、表裏ページ両面コピーモードにおいて、様々な原稿及びそのセット状態に対して適正なページ順通りの分割コピーを行なうことができる。
【０１３０】
請求項５記載の発明よれば、原稿に対する読取走査方向に対して水平方向、垂直方向に分割自在としたので、原稿をどの向きにコンタクトガラス上にセットしても適正な分割コピーを行なうことができる。
【０１３１】
請求項６記載の発明によれば、コンタクトガラス上の原稿画像を分割する際に分割された原稿画像のサイズと設定された変倍率とにより、最適なサイズの記録紙を自動選択するようにしたので、分割コピーに際して操作ミスによるミスコピーを低減することができる。
【０１３２】
請求項７記載の発明によれば、見開き原稿片面コピーモード等に際して、原稿をどのようにコンタクトガラス上にセットしても適正な分割コピーを行なうことができる。
【０１３３】
請求項８記載の発明によれば、セットされた前記原稿の向きに応じて画像分割する順序を異ならせるようにしたので、原稿をどの向きにコンタクトガラス上にセットしても適正なページ順の分割コピーを行なうことができる。
【０１３４】
請求項９記載の発明によれば、原稿の画像が横書き画像か縦書き画像かに応じて画像分割する順序を異ならせるようにしたので、横書き画像、縦書き画像の何れについても適正なページ順の分割コピーを行なうことができる。
【０１３５】
請求項１０記載の発明によれば、セットされた原稿の向きに応じて原稿画像のスキャニング動作を異なせるようにしたので、原稿をどの向きにセットしてもページ順通りに適正に分割コピーすることができる。
【０１３６】
請求項１１記載の発明によれば、分割する画像の領域毎に画像の読み取りを行うことができ、また、原稿が縦置きの場合には、１回目と２回目との何れかの原稿スキャニング動作において走査光学系の移動範囲を短くすることができる。
【０１３７】
請求項１２記載の発明によれば、原稿の種類やセット状態等に関係なく、１回の原稿スキャニング動作により、原稿の画像読取りを終了させることができる。
【図面の簡単な説明】
【図１】本発明の一実施の形態のデジタル複写機全体の概略構造を示す正面図である。
【図２】操作部の構成例を示す平面図である。
【図３】液晶タッチパネルの基本画面を示す平面図である。
【図４】分割コピーモード指定時の液晶タッチパネルの分割画面を示す平面図である。
【図５】電装制御系のハードウェア構成を示すブロック図である。
【図６】ＩＰＵの内部構成を示すブロック図である。
【図７】第２画像処理部の内部構成を示すブロック図である。
【図８】画像メモリコントローラの収納動作の詳細を示すブロック図である。
【図９】画像メモリコントローラの収納動作の詳細を示すブロック図である。
【図１０】横書き画像の見開き原稿の分割コピー態様例を示す模式図である。
【図１１】その印字出力例を示す説明図である。
【図１２】縦書き画像の見開き原稿の分割コピー態様例を示す模式図である。
【図１３】その印字出力例を示す説明図である。
【図１４】見開き原稿片面コピーモード時の横書き原稿・上キー指定時の処理制御例を示す概略フローチャートである。
【図１５】見開き原稿片面コピーモード時の横書き原稿・下キー指定時の処理制御例を示す概略フローチャートである。
【図１６】見開き原稿片面コピーモード時の横書き原稿・左キー指定時の処理制御例を示す概略フローチャートである。
【図１７】見開き原稿片面コピーモード時の横書き原稿・右キー指定時の処理制御例を示す概略フローチャートである。
【図１８】見開き原稿片面コピーモード時の縦書き原稿・上キー指定時の処理制御例を示す概略フローチャートである。
【図１９】見開き原稿片面コピーモード時の縦書き原稿・下キー指定時の処理制御例を示す概略フローチャートである。
【図２０】見開き原稿片面コピーモード時の縦書き原稿・左キー指定時の処理制御例を示す概略フローチャートである。
【図２１】見開き原稿片面コピーモード時の縦書き原稿・右キー指定時の処理制御例を示す概略フローチャートである。
【符号の説明】
３      コンタクトガラス
４      走査光学系
２７      記録紙
５８      分割コピー指定手段、変倍率設定手段
５８ａ〜５８ｃ      指定手段
５８ｄ〜５８ｇ      画像方向指定手段
５８ｈ，５８ｉ      縦／横指定手段
６４，７９      原稿サイズ検出手段、向き検出手段
９３，９５      画像記憶手段
９６      画像回転手段
１０１，１２１      見開き原稿
【図１】
2005051382.tif 000003
【図２】
2005051382.tif 000004
【図３】
2005051382.tif 000005
【図４】
2005051382.tif 000006
【図５】
2005051382.tif 000007
【図６】
2005051382.tif 000008
【図７】
2005051382.tif 000009
【図８】
2005051382.tif 000010
【図９】
2005051382.tif 000011
【図１０】
2005051382.tif 000012
【図１１】
2005051382.tif 000013
【図１２】
2005051382.tif 000014
【図１３】
2005051382.tif 000015
【図１４】
2005051382.tif 000016
【図１５】
2005051382.tif 000017
【図１６】
2005051382.tif 000018
【図１７】
2005051382.tif 000019
【図１８】
2005051382.tif 000020
【図１９】
2005051382.tif 000021
【図２０】
2005051382.tif 000022
【図２１】
2005051382.tif 000023